(57)【要約】      （修正有）【課題】タービンドラムロータにダブテール部品（例えば、バケット）を保持し、ロータ部品の変位を低減するように適合したシステム及びデバイスを提供する。【解決手段】タービンバケット２００は、タービンのロータのバケットシャンクスロットと相補的に形成されたバケットベース部であって、ロータの第１段周方向スロットの上流に延在してロータの第１のロータポスト２７０に入るように形作られた前方部分と、バケットベース部の後部端内に形成され、ロータに接続するように形作られた円周方向突出部２２２及びバケットベース部の接線方向面上に形成され、ロータに接続するように形作られた軸方向突出部の組を含むバケットベース部と、バケットベース部から半径方向外側に延在し、ベーン２３２と相補的に構成されたバケットプラットフォーム２３０とを含む。【選択図】図５
2014163386.tif 000002
【特許請求の範囲】
【請求項１】
タービンのロータのバケットシャンクスロットと相補的に形成されたバケットベース部であって、
ロータの第１段周方向スロットの軸方向上流に延在してロータの第１のロータポストに入るように形作られた前方部分と、
バケットベース部の後部端内に形成され、ロータ内で周方向スロットに接続するように形作られた円周方向突出部及び
バケットベース部の接線方向面上に形成され、ロータ内で軸方向スロットに接続するように形作られた軸方向突出部の組
を含むバケットベース部と、
バケットベース部から半径方向外側に延在し、ベーンに接続するように構成されたバケットプラットフォームとを備えるタービンバケット。
【請求項２】
軸方向突出部の組は、第１のロータポスト部全体にわたって延在し、第１のロータポスト部の実質的な軸方向長さ全体にわたってロータの荷重を分配するように形作られた接触表面の組を画成する、請求項１記載のタービンバケット。
【請求項３】
前方部分は、バケットシャンクスロットを介して第１のロータポストを通って延在するようにサイズ決定され、前方部分は、バケットシャンクスロットを実質的に塞ぎ、第１のロータポストに関して実質的に平面の軸方向表面及び第１のロータポストに関して実質的に平面の半径方向表面を形成するようにサイズ決定される、請求項１記載のタービンバケット。
【請求項４】
バケットプラットフォームは、タービンバケットとロータの第２のロータポストとの間に面取り部を画成し、面取り部は、バケットシャンクスロットに流れが到達できるように形作られている、請求項１記載のタービンバケット。
【請求項５】
バケットプラットフォームは、タービンバケットを通るアパーチャの組を画成し、アパーチャの組は、バケットシャンクスロットに流れが到達できるように形作られている、請求項１記載のタービンバケット。
【請求項６】
円周方向突出部は、ロータの第２のロータポスト上に配設された円周方向に配向された隆起に接続するように形作られたダブテール形状を有する、請求項１記載のタービンバケット。
【請求項７】
軸方向突出部の組は、ロータの第１のロータポスト上に配設された軸方向配向された隆起の組に接続するように構成されたダブテール形状を有する、請求項１記載のタービンバケット。
【請求項８】
バケットベース部は、Ｊシールの組に接続するように形作られた溝の組を画成する、請求項１記載のタービンバケット。
【請求項９】
ステータと、
ステータによって実質的に囲まれた作動流体通路と、
作動流体通路の半径方向内側に配置され、第１のロータポスト及び第２のロータポストを含むロータとを備え、ロータは、
第１のロータポスト及び第２のロータポストを介してロータに接続されたタービンバケットの組を含み、タービンバケットの組は、
ロータのバケットシャンクスロットと相補的に形成されたバケットベース部であって、
ロータの第１段の円周方向に配向されたスロットの上流に延在してロータの第１のロータポストに入るように形作られた前方部分と、
バケットベース部の後部端内に形成され、ロータに接続するように形作られた円周方向に配向された突出部及び
バケットベース部の接線方向面上に形成され、ロータに接続するように形作られた軸方向に配向された突出部の組
を含むバケットベース部と、
バケットベース部から半径方向外側に延在し、ベーンと相補的に構成されたバケットプラットフォームとを含むタービン。
【請求項１０】
前方部分は、バケットシャンクスロットを介して第１のロータポストを通って延在するようにサイズ決定され、前方部分は、バケットシャンクスロットを実質的に塞ぎ、第１のロータポストに関して実質的に平面の軸方向表面及び第１のロータポストに関して実質的に平面の半径方向表面を形成する、請求項９記載のタービン。
【請求項１１】
バケットプラットフォームは、タービンバケットとロータの第２のロータポストとの間に面取り部を画成し、面取り部は、バケットシャンクスロットに流れが到達できるように構成される、請求項９記載のタービン。
【請求項１２】
円周方向に配向された突出部は、ロータの第２のロータポスト上に配設された円周方向に配向された隆起に接続するように構成されたダブテール形状を有する、請求項９記載のタービン。
【請求項１３】
軸方向に配向された突出部の組は、ロータの第１のロータポスト上に配設された軸方向配向された隆起の組に接続するように構成されたダブテール形状を有する、請求項９記載のタービン。
【請求項１４】
バケットベース部は、Ｊシールの組に接続するように形作られた溝の組を画成する、請求項９記載のタービン。
【請求項１５】
タービンの流路を通って延在し、複数のタービン部品を支持するように構成された軸と、
軸の周りに円周方向に配設され、タービンバケットの組のために第１段の円周方向の保持スロットを部分的に画成するように形作られた第１のロータポストであって、複数のバケットシャンクスロットを画成し、複数のバケットシャンクスロットは、第１のロータポストを通って軸方向に延在し、タービンバケットと相補的に形成されている、第１のロータポストと、
軸の周りに円周方向に配設され、タービン内で作動流体の流れに対して第１のロータポストの下流に配置された第２のロータポストであって、第１のロータポストを補完し、第１段の円周方向の保持スロットを部分的に画成するように形作られた、第２のロータポストとを備えるロータ。
【請求項１６】
複数のバケットシャンクスロットは、相補的タービンバケットに接続するように形作られた軸方向隆起の組を含む、請求項１５記載のロータ。
【請求項１７】
第２のロータポストは、相補的タービンバケット内に画成された円周方向突出部の組に接続するように形作られた円周方向隆起の組を含む、請求項１５記載のロータ。
【請求項１８】
複数のバケットシャンクスロットは、実質的にダブテールの形状を有する、請求項１５記載のロータ。
【請求項１９】
第１のロータポストは、複数のバケットシャンクスロットによって実質的に分離された複数のロータポストを含む、請求項１５記載のロータ。
【請求項２０】
複数のバケットシャンクスロットの表面は、複数のバケットシャンクスロットを通って冷却流を方向付けるように形作られている、請求項１５記載のロータ。
【発明の詳細な説明】
【技術分野】
【０００１】
本明細書で開示される主題は、ターボ機械に関し、より詳細には、タービン並びにタービンドラムロータにおける組合せ式の軸方向−円周方向ダブテール部品（例えば、バケット）の荷重分散、設置及び保持に関する。
【背景技術】
【０００２】
一部の発電プラントシステム、例えば、原子力発電プラントシステム、単純サイクル発電プラントシステム及びコンバインドサイクル発電プラントシステムは、その設計及び運転においてタービンを使用する。これらのタービンの中には、高温で運転し、高温蒸気に直接接触するロータ（例えば、ドラムロータ、ホイール及びダイアフラムロータなど）を含ものがあり、高温蒸気は、ロータ及びロータ部品（例えば、バケット）の寿命を減少させる場合がある。これらのバケットは、ロータポスト及び／又はリム内のエントリスロットの組を介してロータの周りに円周方向に設置される。運転中に厳しい環境条件（例えば、温度、圧力など）にさらされるロータの１つのエリアは、第１段バケットの前に配置される前方ロータポストである。タービン運転中に、前方ロータポストは、第１段バケットによって加えられる遠心荷重及び曲げ荷重が原因で第１段バケットからクリープする場合がある。このクリープ効果は、第１段バケットを制止するロータ内のダブテールスロットを開口させ、第１段バケットが緩むことにもなりかねない。
【０００３】
図１〜図３は、従来技術のタービンシステムの略破断図である。図１〜図２は、作動流体流路７（例えば、蒸気流路）を実質的に画成するステータ５２及びロータ５４を含む従来技術のタービンシステム５０を示す。図１に示すロータ５４は、複数のベーン７８の間に配設された複数のバケット７０を含み、バケット７０は、第１のロータポスト８２と第２のロータポスト８４との間のダブテールスロット８０内に配設された第１段バケット７２を含む。運転中、図２に示すように、力の不平衡４１（例えば、曲げ運動）が第１のロータポスト８２に加わる場合がある。その理由は、第１のロータポスト８２の第１の面９２がバケット荷重によって作用されず、第１のロータポスト８２の第２の面９４が、第１段バケット７２からのバケット荷重によって作用されるからである。図３に示すいくつかの従来技術のシステムは、力の不平衡４１（図２示す）を補償するために第１のロータポスト８２の軸方向長さ「Ｌ」を増加させ、この増加した長さが、ダブテールスロット８０のクリープ偏向及び軸方向開口から保護する。運転中、作動流体流路７（図１に示す）を通る流体流は、第１段バケット７２に接触し、ロータに力を与える場合がある。しかし、第１段バケット７２によってロータに与えられる力に対抗するために第１のロータポスト８２の長さＬを増加させると、軸方向ロータのスパンの増加及び他の設計考慮事項が必要とされる場合があり、そのため、タービン設計及び製造に制約を生じかねない。
【先行技術文献】
【特許文献】
【０００４】
【特許文献１】米国特許第５３０８２２７号
【発明の概要】
【０００５】
タービンドラムロータにダブテール部品（例えば、バケット）を保持し、ロータ部品の変位を低減するように適合したシステム及びデバイスが開示される。一実施形態では、タービンバケットは、タービンのロータのバケットシャンクスロットと相補的に形成されたバケットベース部であって、ロータの第１段周方向スロットの軸方向上流に延在してロータの第１のロータポストに入るように形作られた前方部分と、バケットベース部の後部端内に形成され、ロータ内で周方向スロットに接続するように形作られた円周方向突出部及びバケットベース部の接線方向面上に形成され、ロータ内で軸方向スロットに接続するように形作られた軸方向突出部の組を含むバケットベース部と、バケットベース部から半径方向外側に延在し、ベーンに接続するように構成されたバケットプラットフォームとを含む。
【０００６】
本開示の第１の態様は、タービンバケットを提供し、タービンバケットは、タービンのロータのバケットシャンクスロットと相補的に形成されたバケットベース部であって、ロータの第１段周方向スロットの軸方向上流に延在してロータの第１のロータポストに入るように形作られた前方部分と、バケットベース部の後部端内に形成され、ロータ内で周方向スロットに接続するように形作られた円周方向突出部及びバケットベース部の接線方向面上に形成され、ロータ内で軸方向スロットに接続するように形作られた軸方向突出部の組を含むバケットベース部と、バケットベース部から半径方向外側に延在し、ベーンに接続するように構成されたバケットプラットフォームとを含む。
【０００７】
第２の態様は、タービンを提供し、タービンは、ステータと、ステータによって実質的に囲まれた作動流体通路と、作動流体通路の半径方向内側に配置され、第１のロータポスト及び第２のロータポストを含むロータとを含み、ロータは、第１のロータポスト及び第２のロータポストを介してロータに接続されたタービンバケットの組を含み、タービンバケットの組は、ロータのバケットシャンクスロットと相補的に形成されたバケットベース部であって、ロータの第１段の円周方向に配向されたスロットの上流に延在してロータの第１のロータポストに入るように形作られた前方部分と、バケットベース部の後部端内に形成され、ロータに接続するように形作られた円周方向に配向された突出部及びバケットベース部の接線方向面上に形成され、ロータに接続するように形作られた軸方向に配向された突出部の組を含むバケットベース部と、バケットベース部から半径方向外側に延在し、ベーンと相補的に構成されたバケットプラットフォームとを含む。
【０００８】
第３の態様は、ロータを提供し、ロータは、タービンの流路を通って延在し、複数のタービン部品を支持するように構成された軸と、軸の周りに円周方向に配設され、タービンバケットの組のために第１段の円周方向の保持スロットを部分的に画成するように形作られた第１のロータポストであって、複数のバケットシャンクスロットを画成し、複数のバケットシャンクスロットは、第１のロータポストを通って軸方向に延在し、タービンバケットと相補的に形成されている、第１のロータポストと、軸の周りに円周方向に配設され、タービン内で作動流体の流れに対して第１のロータポストの下流に配置された第２のロータポストであって、第１のロータポストを補完し、第１段の円周方向の保持スロットを部分的に画成するように形作られた、第２のロータポストとを含む。
【０００９】
本発明のこれらのまた他の特徴は、本発明の種々の実施形態を描く添付図面と連携して考えられる本発明の種々の態様の以下の詳細な説明からより容易に理解される。
【図面の簡単な説明】
【００１０】
【図１】従来技術によるタービンの部分破断略図である。
【図２】従来技術によるタービン及びロータポストの部分破断略図である。
【図３】従来技術によるタービン及びロータポストの部分破断略図である。
【図４】本発明の実施形態によるタービンバケットの所定の部分の３次元斜視図である。
【図５】本発明の実施形態によるタービンの所定の部分の部分破断略図である。
【図６】本発明の実施形態によるタービンの所定の部分の部分破断略図である。
【図７】本発明の実施形態によるロータの所定の部分の部分破断略図である。
【図８】本発明の実施形態によるタービンの所定の部分の部分破断略図である。
【図９】本発明の実施形態によるタービンバケットの所定の部分の３次元斜視図である。
【図１０】本発明の実施形態によるコンバインドサイクル発電プラントシステムの所定の部分を示す略ブロック図である。
【図１１】本発明の実施形態による一軸コンバインドサイクル発電プラントシステムの部分を示す略ブロック図である。
【発明を実施するための形態】
【００１１】
本発明の図面が必ずしも一定の縮尺でないことが留意される。図面は、本発明の典型的な態様だけを示すことを意図され、したがって、本発明の範囲を制限するものと考えられるべきでない。図の間で同様に番号付けされた要素が、互いに関して述べるときに実質的に類似するとすることができることが理解される。さらに、図１〜図１１に関して示し述べる実施形態では、同様な番号付けは同様な要素を示すものとすることができる。これらの要素の冗長な説明は、明確にするために省略された。最後に、図１〜図１１の部品及びそれらの付随する説明が本明細書で述べる任意の実施形態に適用することができることが理解される。
【００１２】
本明細書で示すように、本発明の態様は、タービンバケット保持及び荷重分散を改善すること（例えば、ロータの前／上流ロータ部上で荷重プロファイルを変更し分散させること）によって、タービン部品の置換を低減し、ロータ及びロータ部品の寿命を増加させるように適合したシステム及びデバイスを提供する。これらのシステムのタービンバケットは、エントリスロットの組によってロータの周りの周方向スロット内に設置され、また、ロータに嵌合可能に接続するように構成される、軸方向突出部の組及び円周方向突出部の組を含む。これらの軸方向突出部及び円周方向突出部は、各タービンバケットに、それを通って運転上の荷重及び運動を分散することができる、ロータとの複数の接触表面を提供する。ロータは、突出部に接続するように構成されるスロットを画成する、軸方向フランジの組及び周方向フランジの組を含み、これらのスロット及び突出部は、タービンバケットをそれらの中に保持し、タービンバケットからの力及び荷重を分散させ消散させる。この接続は、荷重モーメント、応力集中及び第１のロータ部（例えば、上流ロータポスト）の変位（例えば、クリープ）についての可能性を低減し、第１段のタービンバケットをロータに拘束する。ある実施形態では、面取り部／ノッチ／アパーチャの組が、タービンバケットのバケットプラットフォームを通って形成されて、バケットベース部、突出部、スロット及びダブテール特徴部への流れの到達をもたらすことができる。
【００１３】
本明細書で使用されるように、図１〜図１１の左下部の方向キーは参照を容易にするために設けられる。図示するように、このキーは、本明細書で述べる蒸気タービン支持組立体の所定の部分の近接図に関して配向される。例えば、蒸気タービン組立体の図を示す図１〜図１１で使用されるように、「ｚ」軸は垂直（又は半径方向）配向を示し、「ｘ」は水平（又は円周方向）配向を示し、「Ａ」軸は軸方向配向（明確にするために省略された、タービンロータの軸に沿う）を示す。
【００１４】
図面を参照すると、軸方向−円周方向タービンバケットを含むシステム及び組立体の実施形態が示され、タービンバケット内の突出部（例えば、ダブテール）が、ロータ組立体設置に影響を与え、組立体内の力の不平衡を低減することによって、ロータ、タービン及び全体的な発電システムの寿命を増加させることができる。図の部品のそれぞれを、従来の手段によって、例えば、溶接、単体鋳造又は図４〜図１１に示す他の知られている手段によって接続することができる。具体的には、図４を参照すると、バケットベース部２２０及び流れ部２３０（例えば、バケットプラットフォーム）を含むタービンバケット２００（明確にするためにベーンがない状態で示す）の３次元斜視図が、本発明の実施形態に従って示される。バケットベース部２２０は、ロータ２１０（図５に示す）に接続し、タービンバケット２００をロータ２１０に固定するように形作られた軸方向突出部２２４（例えば、軸方向に配向された突出部、フックなど）の組を含む。バケットベース部２２０は、流れ７（図５に示す）に対して軸方向上流に延在することができ、また同様に、ロータ２１０（図５に示す）に接続し、タービンバケット２００をロータ２１０に固定するように適合される円周方向突出部２２２（例えば、円周方向に配向された突出部、フックなど）の組を画成することができる。軸方向突出部２２４及び円周方向突出部２２２は、ロータ２１０とタービンバケット２００との間に複数の接触表面を提供しながら、ロータ２１０全体にわたってタービンバケット２００にかかる荷重印加を共有することができる。バケットプラットフォーム２３０は、ロータ２１０内で形成される軸方向フランジ２８０及び周方向フランジ３２２（スロットを画成する図５に示す）に嵌合可能に接続することができる軸方向突出部２２４及び円周方向突出部２２２を覆って延在する及び／又はそれらを部分的に画成することができる。
【００１５】
タービンバケット２００は、第１のロータポスト流れ表面２４０及び第２のロータポスト流れ表面２４２をさらに含むことができる。第１のロータポスト流れ表面２４０は、バケットベース部２２０の半径方向表面上に形成することができ、タービン３００（図５に示す）を通って流れる作動流体（例えば、蒸気）に接触することができる。ある実施形態では、第１のロータポスト流れ表面２４０は、嵌合用ロータの流れ表面（例えば、第１のロータポスト部）に関して実質的に半径方向であり、それにより、作動流体流路７のための実質的に平滑な及び／又は連続の流れ表面を形成することができる。第２のロータポスト流れ表面２４２は、バケットベース部２２０の軸方向表面であり、タービンを通って流れに接触することができる。ある実施形態では、第２のロータポスト流れ表面２４２は、嵌合用ロータの流れ表面（例えば、第１のロータポスト部）に関して実質的に同一平面上にあり、それにより、作動流体流路７のための実質的に平滑な及び／又は連続の流れ表面を形成することができる。バケットプラットフォーム２３０は、作動流体流路７内に延在するベーン２３２（図５に示す）を含むことができる。
【００１６】
種々の実施形態では、バケットベース部２２０は、第１のロータポスト内に（例えば、バケットシャンクスロット内に）延在するような形状及び／又は寸法の前方部分２１６を含むことができる。軸方向突出部２２４は、前方部分２１６を含むバケットベース部２２０全体にわたって延在し、軸方向突出部２２４の組を画成することによってロータ２１０にタービンバケット２００を固定する接触表面２５４（図５に示す）の組を含むことができる。接触表面の組は、実質的に接線方向である（例えば、完全に円周方向又は半径方向でない表面）、実質的に半径方向である及び／又は実質的に円周方向であるとすることができる。一実施形態では、軸方向突出部２２４の組は、ロータ２１０の第１のロータポストと相補的に構成されるダブテール特徴部（例えば、従来のＴ形根元部（Ｔ−ｒｏｏｔ）ダブテール）を含むことができる。ある実施形態では、円周方向突出部２２２は、タービンバケット２００の後部端に配置され、ロータ２１０の第２のロータポスト内に形成された相補的スロット／隆起に接続するように形作られた接触表面２５２の組を含むことができる。こうして、タービンバケット２００は、円周方向突出部２２２の組によって円周方向に、また、軸方向突出部２２４の組によって軸方向にロータ２１０に接続することができる。
【００１７】
図５を参照すると、本発明の実施形態による、ロータ２１０に接続されたタービンバケット２００を含むタービン３００の所定の部分の断面図が示される。バケットベース部２２０は、第１のロータポスト２７０の一部分を補完し、バケットプラットフォーム２３０は、作動流体流路７内に延在するベーン２３２を含むことができる。この実施形態では、円周方向突出部２２２の組は、ロータ２１０の第２のロータポスト２７２から延在する周方向フランジ３２２に接続される。見てわかるように、円周方向表面２５２（例えば、実質的に円周方向に延在する／配向する表面）の組は、周方向フランジ３２２を（例えば、相補的ダブテールから）嵌合可能に受取り、タービンバケット２００を第２のロータポスト２７２に接続する。ある実施形態では、軸方向突出部２２４を実質的に形成する接線方向表面２５４の組は、第１のロータポスト２７０内に形成された軸方向フランジ２８０（図６及び図７に示す）の組に接触することができる。前方部分２１６は、ロータ２１０の周りで実質的に円周方向に配向することができるＪシール溝２１８の組を画成することができる。Ｊシール溝２１８の組は、本明細書で述べるように、ロータ２１０内でタービンバケット２００を保持するのを補助するＪシールの組に接続することができる。
【００１８】
図６を参照すると、本発明の実施形態による、第１のロータポスト２７０と第２のロータポスト２７２との間に配設された／両者によって画成されたバケットシャンクスロット７４０を含むロータ２１０の所定の部分の断面図が示される。周方向フランジ３２２は、ロータ周方向スロット７４０に入るよう軸方向に延在し、それにより、軸方向表面２５２に接触し、タービンバケット２００によって与えられる曲げモーメントの力を低減するために配置されたモーメント表面７４２を提供することができる。ある実施形態では、第１のロータポスト２７０は、第１のロータポストスロット８４０（図７に示す）を部分的に画成する保持表面２８２を提供するために延在することができる表面２５６を含むことができる。第１のロータポストスロット８４０（図７に示す）及び／又は接線方向表面２５６は、バケットベース部２２０及び軸方向突出部２２４の組を実質的に補完する及び／又はそれらに嵌合可能に接続することができる。種々の実施形態では、軸方向突出部２２４は、保持表面２８２に接触し、保持表面２８２を通ってタービンバケット２００によって生成される力及び／又はモーメントを分散させることができる。任意の現在知られている技法又は軸方向表面３２２、Ｊシールストリップ、接線方向表面２５４などを含む後で開発される技法を使用して、タービンバケット２００をバケットシャンクスロット７４０内に保持することができることが理解される。
【００１９】
図７を参照すると、本発明の実施形態による、タービンバケット２００の組に接続されたロータ２１０を含むタービン８００の一部分の断面図が示される。ある実施形態では、ロータ２１０は、タービンバケット２００の組と組合せて、第１のロータポスト２７０（図５〜図６に示す）を形成するポスト２１２の組を含み、第１のロータポストスロット８４０を形成する接線方向隆起２８０を含むことができる。一実施形態では、第１のロータポストスロット８４０は、ロータを通って形成され、閉鎖バケットについての必要性をなくすことができ、バケットシャンクスロット７４０は、第１のロータポストスロット８４０が、ブラインドカットではなくスルーカットとして形成される／生成されることを可能にすることができる。タービンバケット２００に接続するスロット７４０と８４０のこの組合せは、組合せ式の軸方向−円周方向接続（例えば、ダブテール）を形成する。接線方向隆起２８０は、タービンバケット２００のバケットベース部２２０を嵌合可能に受取り、タービンバケット２００上にかつタービンバケット２００によって与えられる荷重及びモーメントの保持及び／又は力の分散のために軸方向突出部２２４に接触するように構成されるダブテールを形成するように形作ることができる。タービンバケット２００は、バケットベース部２２０のダブテール形状と第１のロータポストスロット８４０の相補的ダブテール形状の嵌合によって、ロータ２１０及び第１のロータポストスロット８４０内に保持することができる。タービンバケット２００のバケットプラットフォーム２３０は、第１のロータポストスロット８４０上にまたポスト２１２の組全体にわたって延在することができる。一実施形態では、隣接するタービンバケット２００のバケットプラットフォーム２３０は、ポスト２１２の上部の接触面８０２に接触する／接触面８０２を形成することができる。バケットベース部２２０は、第１のロータポストスロット８４０に挿入されることができ、そこで、バケットベース部２２０は、ロータ２１０の保持表面２８２（図６に示す）及び円周方向突出部３２２によって摺動可能に受取られる。一実施形態では、バケットベース部２２０及びポスト２１２の組は、ロータ２１０の周りに実質的に連続の円周方向ポストを形成することができる。
【００２０】
図８を参照すると、本発明の実施形態による、タービンバケット２００に接続されたロータ２１０を含むタービン８００の一部分の断面図が示される。この実施形態では、タービンバケット２００のバケットベース前方部分２１６（図４に示す）は、第１のロータポスト２７０によって実質的に覆われ、ロータ周方向スロット７４０（図６に示す）内のバケットベース部２２０の部分が見えている。種々の実施形態では、Ｊシール２０８の組は、Ｊシール溝２１８（図５に示す）の組内に、第１のロータポスト２７０及びバケットベース部２２０／前方部分２１６全体にわたって接線方向に配設することができる。Ｊシール２０８の組は、ロータポスト２７０及びタービンバケット２００に接続し、それにより、バケットベース部２２０をロータ２１０内に、軸方向に、半径方向に及び／又は円周方向に制止する及び／又はバケットシャンクスロット７４０から流れ７の所定の部分をシールすることができる。図９に示す一実施形態では、タービンバケット２０４は、面取りエッジ８９０を有するバケットプラットフォーム８３０を含むことができる。面取り部８９０は、冷却用の流れ８０７（仮想線で示す）（例えば、蒸気）が、作動流体流路７（図９に示す）に対して下流に入り、バケットベース部２２０とロータ２１０／第１のロータポスト２７０との間でダブテールに沿って流れることを可能にすることによってロータ冷却（例えば、凹状の根元部の反応冷却を容易にすることができる。別の実施形態では、ノッチ２０７及び／又はアパーチャ２０９の組（仮想線で示す）が、バケットプラットフォーム８３０内に形成されて、冷却用の流れ８０７がダブテールに到達できるようにすることができる。
【００２１】
図１０を参照すると、多軸コンバインドサイクル発電プラント９００の所定の部分の略図が示される。コンバインドサイクル発電プラント９００は、例えば、発電機９０８に動作可能に接続されたガスタービン９０２を含むことができる。発電機９０８及びガスタービン９０２は、シャフト９０７によって機械的に結合することができ、シャフト９０７は、ガスタービン９０２のドライブシャフト（図示せず）と発電機９０８との間でエネルギーを転送することができる。同様に図１０には、ガスタービン９０２及び蒸気タービン９０６に動作可能に接続された熱交換機９０４が示される。熱交換機９０４は、従来の導管（番号付けは省略された）によってガスタービン９０２と蒸気タービン９０６の両方に流体的に接続することができる。ガスタービン９０２及び／又は蒸気タービン９０６は、図４のドラムロータ２１０及び／又はタービンバケット２００或いは本明細書で述べる他の実施形態を含むことができる。熱交換機９０４は、従来のコンバインドサイクル発電システムで使用されるような従来の排熱回収ボイラ（ＨＲＳＧ）とすることができる。発電の技術分野で知られているように、ＨＲＳＧ９０４は、水供給部と結合した、ガスタービン９０２からの熱い排気を使用して、蒸気タービン９０６に給送される蒸気を生成することができる。蒸気タービン９０６は、任意選択で、（第２のシャフト９０７によって）第２の発電システム９０８に結合することができる。発電機９０８及びシャフト９０７が、当技術分野で知られている任意のサイズ又はタイプであり、その用途又は接続先のシステムに応じて変わる場合があることが理解される。発電機及びシャフトの共通の番号付けは、明確にするためのものであり、これらの発電機又はシャフトが同一であることを必ずしも示唆しない。図１１に示す別の実施形態では、一軸コンバインドサイクル発電プラント９９０は、一軸９０７によってガスタービン９０２と蒸気タービン９０６の両方に結合した単一発電機９０８を含むことができる。蒸気タービン９０６及び／又はガスタービン９０２は、図４のドラムロータ２１０及び／又はタービンバケット２００或いは本明細書で述べる他の実施形態を含むことができる。
【００２２】
本開示のタービンバケット及びロータは、任意の１つの特定のタービン、発電システム又は他のシステムに限定されず、他の発電システム及び／又はシステム（例えば、コンバインドサイクル、単純サイクル、原子炉など）と共に使用することができる。さらに、本発明のタービンバケット及びロータは、本明細書で述べる安定性、設置の容易さ及びセキュアリング能力から利益を受けることができる本明細書で述べられない他のシステムと共に使用することができる。
【００２３】
本明細書で使用される用語は、特定の実施形態を述べるだけためのものであり、本開示を制限することを意図されない。本明細書で使用されるように、単数形「ある（ａ）」、「ある（ａｎ）」及び「その（ｔｈｅ）」は、文脈上他の意味に解釈すべき場合を除き、複数形も含むことを意図される。用語「備える（ｃｏｍｐｒｉｓｅｓ）」及び／又は「備えている（ｃｏｍｐｒｉｓｉｎｇ）」は、本明細書で使用されるとき、述べる特徴、整数、ステップ、動作、要素及び／又は部品の存在を指定するが、１つ又は複数の他の特徴、整数、ステップ、動作、要素、部品及び／又はその群の存在又は付加を排除しないことがさらに理解されるであろう。
【００２４】
この書面による説明は、最良モードを含む本発明を開示するために、また同様に、任意のデバイス又はシステムを作り使用すること及び組込まれる任意の方法を実施することを含む、本発明を当業者が実施することを可能にするために例を使用する。本発明の特許可能な範囲は、特許請求の範囲によって規定され、当業者が思い付く他の例を含むことができる。こうした他の例は、特許請求の範囲の逐語的な言い回しと異ならない構造的要素を有する場合又は特許請求の範囲の逐語的な言い回しと実質的に相違のない等価な構造的要素を含む場合、特許請求の範囲内にあることを意図される。
【符号の説明】
【００２５】
２００  タービンバケット
２０７  ノッチの組
２０８  Ｊシールの組
２０９  アパーチャ
２１０  ドラムロータ
２１２  ポスト
２１６  前方部分
２１８  Ｊシール溝
２２０  バケットベース部
２２２  円周方向突出部
２２４  軸方向突出部
２３０  流れ部
２３２  ベーン
２４０  第１のロータポスト流れ表面
２４２  第２のロータポスト流れ表面
２５２  接触表面
２５４  接触表面
２５６  接線方向表面
２７０  第１のロータポスト
２７２  第２のロータポスト
２８０  軸方向フランジ
２８０  接線方向隆起
２８２  保持表面
３００  タービン
３２２  周方向フランジ
７４０  バケットシャンクスロット
７４２  モーメント表面
８００  タービン
８０２  接触面
８０７  冷却流
８３０  バケットプラットフォーム
８４０  第１のロータポストスロット
８９０  面取りエッジ
８９０  面取り部
９００  多軸コンバインドサイクル発電プラント
９０２  ガスタービン
９０４  熱交換機
９０４  排熱回収ボイラ（ＨＲＳＧ）
９０６  蒸気タービン
９０７  第２のシャフト
９０８  発電機
９９０  一軸コンバインドサイクル発電プラント
【図１】
2014163386.tif 000003
【図２】
2014163386.tif 000004
【図３】
2014163386.tif 000005
【図４】
2014163386.tif 000006
【図５】
2014163386.tif 000007
【図６】
2014163386.tif 000008
【図７】
2014163386.tif 000009
【図８】
2014163386.tif 000010
【図９】
2014163386.tif 000011
【図１０】
2014163386.tif 000012
【図１１】
2014163386.tif 000013
【外国語明細書】
2014163386000001.pdf